(57)【要約】【課題】簡明な構成及び製法によって軸受精度を維持しながら所定の固定強度をより安定かつ確実に得られ、それによりスピンドルモータの耐久性や耐衝撃性を向上する。【解決手段】ハウジング２と、軸孔内周３０及び軸受端面３２に動圧発生用溝を有しハウジング内に固定された軸受３と、軸受３の軸孔に挿入された回転軸４と、ハウジング内に封入された潤滑油とを備え、回転軸４の回転時に前記動圧発生用溝で生じる動圧作用によって該回転軸４をラジアル方向及びスラスト方向に非接触状態で支持可能な動圧軸受ユニット１において、ハウジング２内周に対して軸受３を締め代を与えた圧入により結合するとともに、ハウジング２内周と軸受３外周との間にあって上下何れかの端部側周方向に形成された隙間２５を有し、該隙間に配された接着剤Ｐにより該ハウジングと該軸受とを接着していることを特徴としている。【選択図】図１
2008002650.tif 000002
【特許請求の範囲】
【請求項１】
ハウジングと、軸孔内周及び軸受端面に動圧発生用溝を有し前記ハウジング内に固定された軸受と、前記軸受の軸孔に挿入された回転軸と、前記ハウジング内に封入された潤滑油とを備え、前記回転軸の回転時に前記動圧発生用溝で生じる動圧作用によって該回転軸をラジアル方向及びスラスト方向に非接触状態で支持可能な動圧軸受ユニットにおいて、
前記ハウジング内周に対して前記軸受を締め代を与えた圧入により結合するとともに、前記ハウジングの内周と前記軸受の外周との間にあって上下何れかの端部側周方向に形成された隙間を有し、該隙間に配された接着剤により該ハウジングと該軸受とを接着していることを特徴とする動圧軸受ユニット。
【請求項２】
前記軸受は気孔を樹脂で封孔した焼結軸受であり、前記焼結軸受の締め代が１μｍから１０μｍに形成されているとともに、前記隙間が０を超え、かつ２０μｍ以下に形成されている請求項１に記載の動圧軸受ユニット。
【請求項３】
前記隙間が、端部側に拡径するテーパー形状を呈する請求項１又は２に記載の動圧軸受ユニット。
【請求項４】
前記隙間の端部外側に大径の接着剤用供給部が形成されている請求項１から３の何れかに記載の動圧軸受ユニット。
【請求項５】
前記軸受の外周面には軸方向に延びる複数の溝が設けられているとともに、前記ハウジングの内周面には前記軸受側の溝に連通し、かつこの溝よりも深い周方向の溝が設けられている請求項１から４の何れかに記載の動圧軸受ユニット。
【請求項６】
請求項１から５の何れかに記載の動圧軸受ユニットの製造方法であって、前記軸受を前記ハウジング内に圧入により結合した後、前記接着剤を対応する端部側から前記隙間に供給して毛細管現象により該隙間のほぼ全域に行き渡らせることを特徴とする軸受ユニットの製造方法。
【請求項７】
請求項１から５の何れかに記載の動圧軸受ユニットを備えていることを特徴とするスピンドルモータ。
【発明の詳細な説明】
【技術分野】
【０００１】
本発明は、例えば、磁気ディスク装置や光ディスク装置のディスクドライブモータに必要とされる高回転精度や高速安定性などに優れた動圧軸受ユニット及びその製造方法並びにスピンドルモータに関するものである。
【背景技術】
【０００２】
磁気ディスク装置のハートディスクドライブに使用されるスピンドルモータは、特に記録の高密度化や情報の高速処理の面から高い回転精度が要求される。このため、最近のスピンドルモータは、特許文献１や２に開示されているように、軸体（回転軸）の回転を利用して摺動面に油膜圧力を発生させ、軸体をスラスト方向及びラジアル方向に非接触状態で支持可能な動圧式の軸受ユニットが使用されるようになった。ところで、この動圧軸受ユニットでは、例えば、ノートパソコン等の情報機器に適用される場合、軸受精度が過大な衝撃を受けても維持されるようにする上で、耐久性や耐衝撃性としてハウジングに対する軸受の固定強度を向上しなければならない。このような背景から、従来は、ハウジングに対する軸受の固定強度、すなわち抜去力を十分確保するためハウジング内周に対して軸受を圧入や焼き嵌めで固定していたが、ハウジングと軸受との締め代を大きくすると、軸孔内径が必要以上に収縮されたり変形し高回転精度や高速安定性が損なわれる。そこで、特許文献１や２では接着剤を用いて接合強度を増大する上での工夫を提案している。
【０００３】
【特許文献１】特開２００６−１７２９９号公報
【特許文献２】特開２００５−１６３９０３号公報
【発明の開示】
【発明が解決しようとする課題】
【０００４】
すなわち、特許文献１の動圧軸受ユニットでは、軸受の外周に接着剤用凹溝を全周に亘って設けるとともに、前記凹溝に対向する注入用孔をハウジングの周囲に貫通形成している。そして、この構造では、接着前工程で、軸受をハウジングに対して位置決めを確実に行うためにすきま嵌めないしは軽圧力（締め代２〜３μｍ）により嵌合した後、嫌気性の接着剤を前記孔から凹溝に注入し、毛細管現象を利用して接着剤を嵌合面に浸透させる方法をとっている。この構造では、軸受とハウジングの位置決めは問題ないが、毛細管現象を利用して接着剤を嵌合面に浸透させる場合、嵌合面の全域に対して接着剤の均一な広がりが期待できず、接着強度のばらつきが避けられない。また、軸受とハウジングをすきま嵌めで嵌合する構成だと、封入される潤滑油が軸受とハウジングの嵌合面に浸透するため軸受面の潤滑油不足を招く虞もある。
【０００５】
これに対し、特許文献２の動圧軸受ユニットでは、軸受とハウジングを軽圧入で嵌合する方法をとり、ハウジング内周面の周方向ないしは軸方向に複数の接着剤用溜まり部を設けておき、予めハウジング内周に接着剤を塗布してから、軸受を該ハウジング内に圧入している。軸受の圧入時に掻き出された余剰の接着剤は、接着剤溜まり部に捕捉されると共に、軸受端面には別のヌスミ部を設けておきこの部分に捕捉させる手段も採用している。この構造では、接着剤をハウジング内周に塗布するため作業性が悪く、軸受に焼結軸受を使用すると、接着剤が軸受に吸収されるので接着力の低下や、封入される潤滑油が軸受の気孔から接着剤溜まり部に浸透し、特許文献１と同様に軸受面の潤滑油不足を招く虞がある。
【０００６】
そこで、本発明は、簡明な構成及び製法によって軸受精度を維持しながら所定の固定強度をより安定かつ確実に得られ、それによりスピンドルモータの耐久性や耐衝撃性などを向上することを目的としている。
【課題を解決するための手段】
【０００７】
上記目的を達成するため請求項１の発明は、ハウジングと、軸孔内周及び軸受端面に動圧発生用溝を有し前記ハウジング内に固定された軸受と、前記軸受の軸孔に挿入された回転軸と、前記ハウジング内に封入された潤滑油とを備え、前記回転軸の回転時に前記動圧発生用溝で生じる動圧作用によって該回転軸をラジアル方向及びスラスト方向に非接触状態で支持可能な動圧軸受ユニットにおいて、前記ハウジング内周に対して前記軸受を締め代を与えた圧入により結合するとともに、前記ハウジングの内周と前記軸受の外周との間にあって上下何れかの端部側周方向に形成された隙間を有し、該隙間に配された接着剤により該ハウジングと該軸受とを接着していることを特徴としている。
【０００８】
以上の動圧軸受ユニットにおいては次のように具体化されることがより好ましい。
（ア）前記軸受は気孔を樹脂で封孔した焼結軸受であり、前記焼結軸受の締め代が１μｍから１０μｍに形成されるとともに、前記隙間が０を超え、かつ２０μｍに形成されていること（請求項２）。
（イ）前記隙間が、端部側に拡径するテーパー形状となっていること（請求項３）。
（ウ）前記隙間の端部外側（接着剤を供給する側）に一段大径となる接着剤用供給部を有していること（請求項４）。
（エ）前記軸受の外周面には軸方向に延びる複数の溝が設けられているとともに、前記ハウジングの内周面には前記軸受側の溝に連通し、かつこの溝よりも深い周方向の溝が設けられていること（請求項５）。
【０００９】
また、請求項６の発明は、以上の動圧軸受ユニットを製造方法から特定したものであり、前記軸受を前記ハウジング内に圧入により結合した後、前記接着剤を対応する端部側から前記隙間に供給して毛細管現象で該隙間のほぼ全域に行き渡らせることを特徴としている。これに対し、請求項７の発明は、用途から特定したもので、以上の動圧軸受ユニットを備えているスピンドルモータである。
【発明の効果】
【００１０】
請求項１の動圧軸受ユニットでは、締め代を与えて圧入するため軸受の位置決めを確実に行え、その上で、締め代に応じた圧入強度及び隙間に応じた接着強度によりハウジングと軸受との固定強度のばらつきを抑え、かつ軸受精度を維持して固定強度を増大可能にする。そして、この構造では、請求項６の製造方法、つまり軸受をハウジング内に圧入により結合した後、接着剤を隙間に毛細管現象により隙間全域に行き渡らせる。
換言すると、請求項１と６の発明は、締め代を与えて圧入だけで結合する従来技術に比べ要求される抜け強度を圧入強度と接着強度とにより精度を維持して付与でき、また、軸受を接着力で専ら固定する従来構造（特許文献１など）に比べ端部側の局部接着であるため接着強度のばらつきを抑えることができ、接着剤を予め塗布した状態から軸受をハウジングに圧入する従来構造（特許文献２など）に比べ圧入力と接着力とが明確に区分けされているため目的の固定強度をばらつきを抑えて確実に付与できる。
【００１１】
請求項２〜６の発明では、まず、焼結軸受の気孔を樹脂で封孔しているため接着強度の低下を防止できる。請求項２の発明では、例えば、締め代の上限値（１０μｍ）は軸受精度が収縮変形で低下する虞を解消し、隙間の上限値（２０μｍ）は接着剤が厚くなって接着力が低下する虞を防ぐ。これに対し、請求項３の発明では、隙間をテーパー状として接着剤を毛細管現象により隙間全域に効率よく行き渡るようにする。これに対し、請求項４の発明では、隙間の外側に接着剤の供給部を設けて、接着剤を滴下し易くするとともに、該隙間に接着剤を確実に供給する。
これに対し、請求項５の発明において、軸受外周面の軸方向の溝は、ハウジングに軸受を固定した後、真空含浸法により潤滑剤を封入する際、溝を通じて空気を抜いて潤滑剤の入りを良好にする。ハウジング内周面の周方向の溝は、軸方向の溝同士を連通するとともに軸方向の溝が接着剤で塞がれないようにする。
【００１２】
請求項７の発明では、以上の動圧軸受ユニット、つまり軸受内周及び軸受端面に動圧発生用溝を有し、該溝の動圧作用によって回転軸を精度よく支持するとともに、ハウジングと軸受が強固に固定されて耐衝撃性に優れていることから、例えばスピンドルモータを組み込んでいるディスク装置等を落下させても、回転精度が損なわれずそれにより品質及び信頼性を向上できる。
【発明を実施するための最良の形態】
【００１３】
次に、本発明形態を図面を参照しながら説明する。図１は形態例の動圧軸受ユニット（以下、軸受ユニットと略す）を示し、図２は軸受ユニットの要部断面を示し、図３は軸受け単品を示し、図４は軸受ユニットの変形例を示し、図５はスピンドルモータを示している。なお、図１（ａ）及び図４（ａ）、図５では接着剤を省略し、また、要部の隙間や溝などは実際よりも大きく誇張して図示している。以下の説明では、軸受構造、組立、変形例、スピンドルモータの順に言及する。
【００１４】
（軸受構造）図１の軸受ユニット１は、有底筒形のハウジング２と、動圧発生用溝を形成している軸孔内周３０及び上側の軸受端面３２を有してハウジング２の内周２０に圧入及び接着で固定される軸受３と、軸受３の軸孔に挿入された回転軸４と、ハウジング２内に封入される不図示の潤滑油などを備えている。なお、この軸受ユニット１は、スラスト軸受部Ｓ（SFDB）が軸受３の上側軸受端面３２と回転軸４に設けられたフランジ４１との間に設定され、ラジアル軸受部Ｒ（RFDB）が軸受３の軸孔内周３０と回転軸４の外周との間に設定されている。但し、構造的には、スラスト軸受部Ｓ（SFDB）が特許文献１のように軸受の下側軸受面と回転軸の対応部との間に設定されるタイプでもよい。
【００１５】
ここで、ハウジング２は、内周２０に軸受３の全体がほぼ入る筒形で、内周２０の下側が底板２１で閉じられている。底板２１は、ハウジング２に対し溶接などで機密性を保って固定されている。ハウジング内周２０と軸受３の外周３１との間には、上端部側周方向に隙間２５が設けられている。なお、回転軸４は、軸受３の軸孔に挿入される軸部４０と、軸部４０の上側に設けられて軸受３の上側の軸受端面３２に対向するフランジ４１と、フランジ４１の中央部から突出している軸部４２と、軸部４０の外周に設けられている周方向の溝４３とを備えている。
【００１６】
前記隙間２５は、接着剤を配置する空間であり、外側（上側）に一段大きい接着剤用供給部２５ａを有している。この隙間２５は、使用する接着剤Ｐの粘性等によって０を超えて２０μｍ以下の範囲に形成される。この値は、接着剤Ｐが供給部２５ａに滴下されたとき、毛細管現象により隙間２５の全域に行き渡るようにする上で好ましい大きさである。また、隙間２５及び供給部２５ａは、ハウジング内周２０の対応部に設けられたテーパー２２、つまり奥側の滑らかなテーパー２２ａ、及び端側の鋭角なテーパー２２ｂにより区画されている。但し、形状は、この例で示したＶ形以外でもよく、また図１（ｃ）に例示したように軸受外周３０にもテーパー２２ａ等に対応するテーパー３０ａなどを形成したり、同図のごとく軸受外周３０とハウジング内周２０との両方に形成するようにしてもよい。このような隙間を形成すると、テーパーの先端部で隙間がより狭くなって毛細管力によって接着剤が吸引され接着力が向上する。
【００１７】
軸受３は、量産性やコスト的に好ましい焼結軸受であり、焼結体の気孔に樹脂を含浸している。また、軸受３０は、ハウジング内周２０に対して締め代を与えた圧入力と、隙間２５に配置される接着剤Ｐを介した接着力とにより固定される。なお、圧入で固定される軸部分は、接着される軸部分より大きく設定されることが好ましい。圧入力を主とし、接着力を副とすることで固定強度のばらつきを抑えるためである。また、締め代は１μｍ〜１０μｍに設定され、より好ましくは３μｍ〜１０μｍに設定することである。これは、内径が直径３ｍｍ程度の軸受の場合、実験結果から、締め代が２μｍぐらいだとハウジング２と軸受３との位置決めが維持されない場合があり、締め代が１０μｍを超えると軸受内径が収縮変形するためである。
【００１８】
なお、ディスクドライブ用スピンドルモータの場合、ディスク径２．５インチのクラスでは１０００Ｇ〜１５００Ｇの耐衝撃性が要求されており、これを軸受の抜け強度に換算すると概略４００Ｎ程度の荷重になる。前記締め代（ハウジングと軸受の圧入代）が１１μｍ以上にすると、この程度の抜け強度は得られるが、これ以下の締め代では接着剤を併用しないと抜け強度が充足されなくなる。本発明は、そのような知見を基にし、特に接着力のばらつきを如何に抑えるかの点から工夫されたものである。
【００１９】
軸孔内周３０には、図３（ｂ）に示されるように、動圧発生用溝として断面が略半円弧状で、軸方向に連続して真っ直ぐ延び、かつ軸孔内周を周方向に等分する複数の分離溝３５が設けられている。各分離溝３５の深さは０．０５〜０．１５ｍｍに設定されることが好ましい。隣接する分離溝３５同士の間には、水平断面において軸芯を支点とした円に対し偏芯し、かつ逆時計回り方向に向かうにしたがって内周側に縮径していく形状の円弧面３６が形成されている。各円弧面３６は、回転軸４の対応軸部４０の外周との間の微少すきまが回転軸の回転方向に向かうにしたがって次第に狭小となる断面くさび状に形成される。
【００２０】
上側の軸受端面３２には、逆時計回り方向に向かうにしたがって内周側に湾曲しながら延びる複数の動圧発生用スパイラル溝３７（図面上、この溝には分かり易くするためハッチングした）が周方向に等間隔に設けられている。各スパイラル溝３７は、例えば、内周側の端部が軸孔に開放されておらず閉塞されているのに対し、外周側の端部が軸受外周に開放されている構成、内周側及び外周側の各端部が軸孔や軸受外周に共に開放されている構成というように種々工夫される。
【００２１】
なお、以上の軸受３は圧粉、焼結、再圧縮、封孔処理である樹脂含浸を経て作製される。圧粉では、原料粉末が成形金型により圧粉体として圧縮形成される。焼結では、前記圧粉体が焼結処理により多孔質の焼結体として形成される。再圧縮では、前記焼結体がサイジング等の塑性加工により設計軸受形状として分離溝３５及び円弧面３６、スパイラル溝３７が金型の転写方式でそれぞれ形成される。樹脂含浸では、再圧縮後の焼結体、つまり軸受気孔が樹脂で封孔処理される。この処理では、樹脂含浸した状態で固化させると軸受３の表面に薄い樹脂の膜が残る。これを放置すると、軸受表面に残った樹脂の膜の上に接着剤を塗布しても接着力がほとんど得られない。このため、この作業では、樹脂を含浸した後、固化する前に軸受表面を水洗浄し、表面の樹脂を完全に除去する。
【００２２】
（組立）組立作業では、まず、軸受３がハウジング２内に圧入されながら位置決め固定される。この構造では、軸受３がハウジング２内に位置決めされた状態において、底板２１と軸受３の下端面との間に所定の隙間２６が形成される。後述する潤滑剤は隙間２６にも溜められる。底板２１は、ハウジング２に対し軸受３を圧入する前に固着しておく方法、ハウジング２に底板２１を固着した後、軸受３をハウジング２に圧入する方法の何れでもよい。
【００２３】
次に、接着剤Ｐが隙間２５に配置される。この操作では、接着剤が供給部２５ａに適量だけ滴下される。すると、接着剤Ｐは、供給部２５ａから毛細管現象により隙間２５の全域に広がって均一に行き渡る。このため、軸受３は、ハウジング２の内周２０に対し略中間より下側が締め代を付与した圧入で結合され、上側が接着剤Ｐの薄い膜を介して接合される。以上の構造において、供給部２５ａは、接着剤の使用量を受け入れる大きさに設定され、受け入れた接着剤をここから毛細管現象で隙間２５内へ効率よく導出可能にしたり、余分な接着剤がハウジングや軸受の端面側にはみ出さないようにする。以上のようにして、軸受３がハウジング２内に圧入力及び接着力により固定された後、回転軸４が軸受３の軸孔内周３０に対し軸部４ａを挿入するが、その際に潤滑剤が前記した分離溝３５等からハウジング２内に封入操作されるとともに、フランジ４１が軸受端面３２に対向配置されることになる。
【００２４】
（変形例）図４は以上の軸受ユニット１の変形例であり、（ａ）は図１（ａ）対応させて示す断面図、（ｂ）は（ａ）のＤ−Ｄ線断面図である。この変形例では、上記形態と同じ部材や部位に同じ符号を付して重複説明を省き、変更点だけを詳述する。すなわち、この変形例では、軸受外周３１に設けられて軸方向に連続している溝３８と、ハウジング２の内周２０に設けられている周方向の溝２３とを有している。溝２３は、ハウジング内周面にあって溝３８に連通し、かつこの溝３８よりも深い周方向の溝形状となっている。
【００２５】
溝３８は、軸受周方向に等分する箇所で、それぞれ軸方向に真っ直ぐ延びている複数（この例では３つ）設けられている。この各溝３８は、ハウジング２内の脱気用の溝であり、ハウジング内周２０に設けられた周方向の溝２３によって連通されている。すなわち、この構造は、ハウジング２と底板２１及び軸受３の内周面などで構成される潤滑剤用の隙間がきわめて狭くなっているので、軸受ユニット１に潤滑剤を封入する場合、予め軸受ユニット１内を真空引きしておき、その状態で設計量の潤滑剤を例えば回転軸４のフランジ４１の外周部や溝３８に沿って注油し、その後、大気圧に開放することで、潤滑剤を軸受ユニット１内の各部の隙間に引き込み封入可能にする。なお、各溝３８は、前工程の接着剤Ｐを毛管現象により隙間２５に配置するときに、隙間２５が狭隘であるため、接着剤は隙間２５に毛細管力により吸引されてこの溝３８に広がらない。また、溝３８に接着剤が進入したとしても、周方向の溝２３が接着剤のポケットとなり溝３８が接着剤で塞がれることはない。
【００２６】
（スピンドルモータ）図５のスピンドルモータ１０は、ディスク駆動用のモータであり、上記した軸受ユニット（以下、軸受ユニットと略称する）１と、該軸受ユニット１を保持しているベース５と、ディスクハブ６と、ローター７と、コアにコイルを巻回したステータ８などを備えている。ここで、ベース５は、筒形の保持部５０を有し、該保持部５０の筒内に軸受ユニット１を装着している。保持部５０の外周には、外部電源に不図示の配線基板などを介して接続されているステータ８が装着されている。なお、ディスクハブ６は、不図示のディスクを保持するもので、軸受ユニット１の回転軸４に支持されて一体的に回転される。ローター７は、ディスクハブ６の内周に取り付けられてステータ８に対向されている。
【００２７】
そして、以上のスピンドルモータ１０では、ステータ８に通電すると、ステータ８とローター７との間の励磁力によりローター７がステータ８に対しディスクハブ６及び回転軸４と共に回転される。ディスクハブ６は、回転軸４が回転すると、上記した軸受ユニット１の動圧発生用溝であるスパイラル溝３７と分離溝３２などによりラジアル及びスラスト方向の動圧が発生し、回転軸４が軸受３に対し非接触状態で精度よく支持される。また、このスピンドルモータ１０では、上記軸受ユニット１において、ハウジング２と軸受３とが圧入力と接着力で強固に固定されているため耐衝撃性に優れており、スピンドルモータ１０を採用しているディスク装置が不用意に落下されても、回転精度が損なわれることなく、それにより信頼性を向上できる。
【００２８】
なお、本発明は、以上の形態例に何ら制約されるものではなく、各請求項で特定される要件を除いて種々変形可能なものである。
【図面の簡単な説明】
【００２９】
【図１】（ａ）は発明形態の軸受ユニットを示す縦断面図、（ｂ）は（ａ）のＣ部拡大図、（ｃ）は変形例である。
【図２】（ａ），（ｂ）は図１のＡ−Ａ線とＢ−Ｂ線断面図である。
【図３】（ａ），（ｂ）は図１の軸受単品を示す側面図と上面図である。
【図４】（ａ）と（ｂ）は変形例を示す模式断面図である。
【図５】上記軸受ユニットを使用したスピンドルモータを示す模式断面図である。
【符号の説明】
【００３０】
１…軸受ユニット
２…ハウジング（２０は内周、２１は底板、２３は周方向の溝）
３…軸受（３０は軸孔内周、３１は外周、３２は軸受端面）
４…回転軸
１０…スピンドルモータ（５はベース、６はハブ、７はローター、８はステータ）
２５…隙間（２５ａは供給部）
３５…分離溝
３６…円弧面  
３７…スパイラル溝
３８…軸方向の溝  
Ｐ…接着剤
Ｓ…スラスト軸受部
Ｒ…ラジアル軸受部
【図１】
2008002650.tif 000003
【図２】
2008002650.tif 000004
【図３】
2008002650.tif 000005
【図４】
2008002650.tif 000006
【図５】
2008002650.tif 000007